(57)【特許請求の範囲】
【請求項１】
磁気読取／書込みステーション（ＰＩＬ）、サーマル印刷ステーション（ＴＴ）、および制御手段（ＵＣ）を備えるタイプのチケット処理装置（ＤＩＳ）用マン／マシンインターフェース方法であって、
ａ）設定チケット（ＴＩＴＣ）の磁気ストライプに、設定しようとするチケット処理装置（ＤＩＳ）の少なくともいくつかの動作パラメータを書込み、設定パラメータの磁気記載に対応して、前記設定チケット（ＴＩＴＣ）上に前記設定パラメータを印刷する段階と、
ｂ）設定しようとする処理装置（ＤＩＳ）中に設定チケット（ＴＩＴＣ）を挿入する段階と、
ｃ）設定チケット（ＴＩＴＣ）の磁気ストライプの内容を読み取る段階と、
ｄ）読み取られた設定パラメータを記憶し、一方では、記憶された前記設定パラメータを用いてチケット処理装置の動作を制御手段（ＵＣ）が設定できるようにし、他方では、対応する前記設定パラメータを上に印刷した設定チケット（ＴＩＴＣ）を設置者が得ることを可能にする段階と、
ｅ）調節しようとするチケット処理装置中に、チケットの一方の横縁部（ＢＡＶＴ）から他の横縁部（ＢＡＲＴ）まで前記チケットの縦方向側部上に延びる、磁気ストライプ（ＰＭ）を備える基準チケット（ＴＲＥＦ４）を挿入する段階と、
ｆ）基準チケット（ＴＲＥＦ４）の横縁部を検出する段階と、
ｇ）基準チケット（ＴＲＥＦ４）の磁気ストライプ（ＰＭ）上に、基準チケットが磁気読取／書込み部に到着する前に開始され、基準マーク（ＲＥ１）を備える一連の基本基準記載を、書き込む段階と、
ｈ）基準チケット（ＴＲＥＦ４）の磁気ストライプ上に書き込まれた基本基準記載（ＳＩＥＲ）の数を、基準マーク（ＲＥ１）までカウントし、該カウントから、チケットの横縁部の光学的検出と磁気記載の間の距離（ＤＩＤＩ）を導き出す段階と
を含むことを特徴とする方法。
【請求項２】
段階ａ）が、少なくとも１つの磁気読取／書込みステーションと、１つのサーマル印刷ステーションと、制御手段とを備える、選択されたプログラミング機械を用いて設定チケット（ＴＩＴＣ）をプログラミングすることからなることを特徴とする、請求項１に記載の方法。
【請求項３】
１）チケット処理装置（ＤＩＳ）のアクティビティに関する情報を取り込む段階と、
２）取り込んだ前記情報を記憶する段階と、
３）記憶した前記情報をステートメントチケット（ＴＩＲ）上に印刷する段階と
をさらに含むことを特徴とする、請求項１に記載の方法。
【請求項４】
段階３）が、装置の機構部と動作機能に関する諸要素を表す、ステートメントチケット（ＴＩＲ）上に重ねられたサイクルおよび発生事象カウンタを編集することを含むことを特徴とする、請求項３に記載の方法。
【請求項５】
前記ステートメントチケット（ＴＩＲ）上に、サーマル印刷に対応してステートメント情報を書き込む、段階４）をさらに含むことを特徴とする、請求項３または４に記載の方法。
【請求項６】
ｉ）サーマル印刷の水平（Ｈ）フレーミング、垂直（Ｖ）フレーミング、またはサーマル印刷の密度（Ｄ）に関係する、少なくとも１つの印刷基準マーク（ＲＥＨ１、ＲＥＶ、ＲＥＨ２）を含むサーマル印刷基準チケット（ＴＲＥＦ３）を準備する段階と、
ｉｉ）調節しようとするチケット処理装置中に、サーマル印刷基準チケット（ＴＲＥＦ３）を挿入する段階と、
ｉｉｉ）サーマル印刷基準チケット（ＴＲＥＦ３）上に、基準マーク（ＲＥＨ１、ＲＥＶ、ＲＥＨ２）に対して、少なくとも１つの基準スケール（Ｈ、Ｖ、Ｄ）を印刷する段階と、
ｉｖ）基準スケール（Ｈ、Ｖ、Ｄ）の要素と基準マーク（ＲＥＨ１、ＲＥＶ、ＲＥＨ２）との間の一致の値を示す段階と
をさらに含むことを特徴とする、請求項１から５のいずれか一項に記載の方法。
【請求項７】
破れ易い線を含む基準チケット（ＴＲＥＦ）を準備し、基準チケットが調節すべきチケット処理装置中に挿入され、切断位置が目視で破れ易い線と比較される切断位置中心合せ段階をさらに含むことを特徴とする、請求項１から６のいずれか一項に記載の方法。
【請求項８】
装置の基本動作を、機能ずつ、および／またはコードラインずつ進める検査段階をさらに含むことを特徴とする、請求項１から７のいずれか一項に記載の方法。
【請求項９】
磁気読取／書込みステーション（ＰＩＬ）、サーマル印刷ステーション（ＴＴ）、および制御手段（ＵＣ）を含むタイプのチケット処理装置用マン／マシンインターフェース装置であって、該チケット処理装置用マン／マシンインターフェース装置が、
設定チケット（ＴＩＴＣ）の磁気ストライプ上に、設定しようとするチケット処理装置（ＤＩＳ）の少なくともいくつかの動作パラメータの書み込みに適した手段と、前記設定チケット（ＤＩＳ）上に磁気プログラミングに対応して前記設定パラメータを印刷する手段とを含むこと、
設定しようとするチケット処理装置（ＤＩＳ）の読取／書込みステーション（ＰＩＬ）が、設定しようとする前記チケット処理装置（ＤＩＳ）中に挿入された設定チケット（ＴＩＴＣ）の磁気ストライプの内容を読み取ることができること、および
制御手段（ＵＣ）が、読み取られた設定パラメータを記憶することのできる記憶手段を含み、記憶手段は一方では、記憶された前記設定パラメータを用いてチケット処理装置の動作を制御手段（ＵＣ）が設定できるようにし、他方では、対応する前記設定パラメータが上に印刷される設定チケット（ＴＩＴＣ）を設置者が得ることを可能にすること、
前記チケット処理装置用マン／マシンインターフェース装置はまた、
チケットの一方の横縁部（ＢＡＶＴ）から他方の横縁部（ＢＡＲＴ）まで延び、前記チケットの縦側部上にある磁気ストライプ（ＰＭ）を含む、基準チケット（ＴＲＥＦ４）を準備することに適した手段と、
基準チケット（ＴＲＥＦ４）の横縁部を検出する手段（ＤＯ１１）と、
基準チケット（ＴＲＥＦ４）の磁気ストライプ（ＰＭ）上に一連の基本基準記載（ＳＩＥＲ）を書く手段（ＴＭ１）とを備え、基準チケット（ＴＲＥＦ４）が磁気書込みステーション（ＴＭ１）に到着する前に、基本基準記載が開始され、基本基準記載は基準マーク（ＲＥ１）を含み、
さらに、基準チケット（ＴＲＥＦ４）の磁気ストライプ（ＰＭ）の上に書き込まれた基本基準記載（ＳＩＥＲ）の数を、基準マーク（ＲＥ１）までカウントし、該カウントから、チケットの横縁部の光学的検出部（ＤＯ１１）と磁気記載（ＴＭ１）の間の距離（ＤＩＤＩ）を導き出す手段（ＵＣ）を備えること
を特徴とする装置。
【請求項１０】
チケット処理装置のアクティビティに関する情報の書き留めに適した手段を含み、記憶手段は、書き留められた前記情報を記憶することができ、印刷ステーション（ＴＴ）は、記憶された前記情報をステートメントチケット（ＴＩＲ）上に印刷することができることを特徴とする、請求項９に記載の装置。
【請求項１１】
磁気読取／書込みステーション（ＰＩＬ）が、前記ステートメントチケット（ＴＩＲ）上に、サーマル印刷に対応して前記ステートメント情報を書き込むことができることを特徴とする、請求項１０に記載の装置。
【発明の詳細な説明】
【０００１】
本発明は、磁気ストライプを含むチケット処理装置のためのマン／マシンインターフェースの分野に関する。
【０００２】
本発明は、磁気情報を含む交通輸送チケット、特に航空搭乗券または鉄道乗車券の処理に特定の用途がある。
【０００３】
特許ＦＲ８８００７３４およびＦＲ８８００７３３において、本出願人は、挿入ステーション、送出ステーション、磁気読取／書込みステーション、およびサーマル印刷ステーションを含むチケット処理装置を開示した。
【０００４】
このタイプのチケット処理装置では、設置者は、キーボードと表示画面によって形成されるマン／マシンインターフェースを用いて、さまざまな設定パラメータと、さまざまな処理装置ステーションに適合するためのパラメータを手動でプログラミングする。
【０００５】
本出願人は、特にマン／マシン対話、すなわち磁気ストライプを有するチケット処理装置のプログラミングおよび／または適合の自動化と改善を可能にする、マン／マシンインターフェースを提供するという問題に取り組んだ。
【０００６】
本発明は、この問題に対してまさにこのような解決策を提供するものである。
【０００７】
本発明は、磁気ストライプを含むチケット処理装置のためのマン／マシンインターフェース方法に関し、この処理装置は、磁気読取／書込みステーション、サーマル印刷ステーション、および制御手段を含むタイプのものである。
【０００８】
本発明の一般的な規定によれば、インターフェース方法は、
ａ）設定チケット（ｃｏｎｆｉｇｕｒａｔｉｏｎ  ｔｉｃｋｅｔ）の磁気ストライプの上に、設定しようとする処理装置の少なくともいくつかの動作パラメータを書込み、前記設定チケットの上に設定パラメータを印刷して、前記設定パラメータの磁気記載に対応させる段階と、
ｂ）設定しようとする処理装置の中に設定チケットを挿入する段階と、
ｃ）設定チケット上の磁気ストライプの内容を読み取る段階と、
ｄ）読み取られた設定パラメータを記憶し、一方では、記憶された前記設定パラメータを用いてチケット処理装置の動作を制御手段が設定できるようにし、他方では、対応する前記設定パラメータが上に印刷される設定チケットを、設置者が得ることを可能にする段階と
を含む。
【０００９】
こうして、本発明によるインターフェース方法により、動作条件に従った処理装置の動作パラメータのプログラミングから成る操作は自動的になり、設置者への書き込まれたトレースを残す。
【００１０】
実際には、段階ａ）は、少なくとも１つの磁気読取／書込みステーションと、１つのサーマル印刷ステーションと、制御手段とを含む、選択されたプログラミング機械を用いて、設定チケットをプログラミングすることからなる。
【００１１】
設定チケットが、所与の必要性のために正しくプログラミングされる、設定しようとする装置と同じグループのどの機械によっても作ることができるのは、最も有利である。プログラミングしようとする機械にプログラミングした後に、設定チケットを対応する印刷ステーションによって編集する。
【００１２】
設定チケットが、チケットの正面に印刷されたパーソナル化パラメータ（ｐｅｒｓｏｎａｌｉｚａｔｉｏｎ  ｐａｒａｍｅｔｅｒ）を明らかに含むが、この情報を反映するものが、前記設定チケットの磁気ストライプ上に磁気的に書かれることが好ましい。
【００１３】
本発明のもう１つの重要な特徴によれば、マン／マシンインターフェース方法は、オプションモードで
１）チケット処理装置のアクティビティに関する情報を取り込む段階と、
２）取り込んだ前記情報を記憶する段階と、
３）記憶した前記情報をステートメントチケット（ｓｔａｔｅｍｅｎｔ  ｔｉｃｋｅｔ）の上に印刷する段階と
を含むことができる。
【００１４】
例えば情報は、イベントの記述、およびこのイベントに関連するカウンタの値を含む。
【００１５】
こうして、この動作機能中に、チケット処理装置は、そのアクティビティおよび／または検出されたあらゆる発生事象に関する情報を、固定記憶装置に記録することができる。
【００１６】
ステートメントチケットにより、チケット処理装置は、この情報のステートメントを適当な形式のステートメントに編集することができる。
【００１７】
変形として、上述の段階３）は、ステートメントチケット上に重ねられたサイクルと発生事象のカウンタの編集を含み、装置の機構部と動作機能に関するさまざまな要素を表す。
【００１８】
本方法が、前記ステートメントチケットの上に、サーマル印刷に対応して前記ステートメント情報を磁気的に書き込む、段階４）をさらに含むことは最も有利である。こうして本装置は、技師による検査中の自動取り込み、および例えば修理工場に置かれた収集ステーションへの情報の転送を可能にする。
【００１９】
本発明のもう１つの態様によれば、磁気ストライプを有するチケットを処理する装置の基本機能の動作性能を管理する、さまざまな機械的パラメータの自動調節を実施可能にする、マン／マシンインターフェース方法がさらに計画される。
【００２０】
実際には、調節方法は、
Ｉ）調節しようとするチケット処理装置の中に、チケットの一方の横縁部から他の横縁部まで、前記チケットの縦方向側部の上に延びる磁気ストライプを含む基準チケット（ｒｅｆｅｒｅｎｃｅ  ｔｉｃｋｅｔ）を挿入する段階と、
ＩＩ）基準チケットの少なくとも１つの横縁部を検出する段階と、
ＩＩＩ）基準チケットの磁気ストライプの上に、基準チケットが磁気読取／書込みステーションに到着する前に開始され、少なくとも１つの基準マークを含む一連の基本基準記載（ｅｌｅｍｅｎｔａｒｙ  ｒｅｆｅｒｅｎｃｅ  ｉｎｓｃｒｉｐｔｉｏｎ）を、書き込む段階と、
ＩＶ）基準チケットの磁気ストライプの上に書き込まれた基本基準記載の個数を、基準マークまでカウントし、このカウントから、チケットの横縁部の光学的検出部と磁気記載との間の距離を導き出す段階と
を含む。
【００２１】
チケット前縁部の光学的検出位置と磁気記載との間の距離は、チケット処理装置ごとに変ることがあることを指摘しなければならない。こうして、本発明の方法によるこの距離の測定のため、位置決めによって磁気読取／書込みの最適フレーミングを確実にすることができる。さらにまた、基準チケットの他の横縁部について前述の方法を適用することによって、２台のチケット処理装置の間で、特にチケットを磁気書込み区域の中へ駆動する手段において起る相異（エボリュート（ｅｖｏｌｕｔｅ）、駆動ローラの直径、ベルト特性）に起因することがある変化を有する磁気記載の密度を調節することができる。
【００２２】
各機構部に特有のパラメータすべての取得または調節が、チケット処理装置の製造の後またはメンテンス作業の後に行う単一手順にまとめられることは最も有利である。
【００２３】
この単一手順中に、次の要素を自動的に調節することができる。
【００２４】
磁気記載のフレーミング、
磁気記載密度の調節、
印刷の水平および垂直フレーミング、および
印刷密度（歪像）の調節。
【００２５】
密度の調節は、磁気読取／書込みステーションおよびサーマル印刷ステーションの前面における、チケット変位エボリュートの変化によって必要とされる。
【００２６】
これについては、フレーミング調節は、光学検出器と磁気読取／書込みステーションとの間、ならびに光学検出器とサーマル印刷ステーションとの間の距離の変化によって必要とされる。
【００２７】
調節手順がさらに、破れ易い線を含む基準チケットを準備して、この基準チケットがチケット処理装置の中に挿入されて調節され、破れ易い線で切断されることが計画される、切断中心合せ段階を含むことは最も有利である。
【００２８】
こうして、有効な切断位置が基準の破れ易い線に関して操作者によって目視で比較される。
【００２９】
本発明はまた、本発明による方法の実施を可能にするマン／マシンインターフェース装置も目的とする。
【００３０】
本発明のその他の特徴および利点は、下記の詳細な説明と図面に照らして明らかになろう。
【００３１】
添付の図面には、多数のチケットについてある一定の性質の要素が示されている。したがって、これらは下記の説明を示すためのみならず、必要な場合には本発明の規定に寄与するためにも使用される。
【００３２】
図１を見ると、チケット処理装置ＤＩＳが示されており、これは例えば、本出願と同じ日に「Ｔｉｃｋｅｔ  ｐｒｏｃｅｓｓｉｎｇ  ｄｅｖｉｃｅ  ｗｉｔｈ  ｔｈｅｒｍａｌ  ｐｒｉｎｔｉｎｇ  ａｎｄ  ｍａｇｎｅｔｉｃ  ｒｅａｄ／ｗｒｉｔｅ  ａｃｃｏｒｄｉｎｇ  ｔｏ  ａｎ  ｉｎｔｅｒｎａｌ  ｔｒａｊｅｃｔｏｒｙ  ｉｎ  ａ  ｃｌｏｓｅｄ  ｃｉｒｃｕｉｔ」と題して、本出願人の名で提出した特許出願に記述した１つである。すべての有用な作用のために、この特許出願は本説明のな部分である。
【００３３】
要するに、チケット処理装置ＤＩＳは、挿入ステーションＰＩＮ、送出ステーションＤＥＬ、磁気読取／書込みステーションＰＩＬ、およびサーマル印刷ステーションＴＴを含む。
【００３４】
チケットベルトは、磁気読取／書込みステーションＰＩＬの前面に向かっており、このステーションは、第１磁気書込みヘッドＴＭ１と、これに続く第２磁気読取ヘッドＴＭ２とを含む。
【００３５】
一変形として、磁気読取／書込みステーションＰＩＬは、ただ１つの磁気ヘッドを含むが、この場合には、ベルトは単一磁気ヘッドの前面を数回通過する。
【００３６】
磁気読取／書込みについては、供給手段Ｃ１、Ｍ１が、双方向内部セクション（方向Ｆ１またはＦ２）に従ってチケットを送ることができるように計画され、挿入ステーションから磁気読取／書込みステーションを経て送出ステーションへ行く。
【００３７】
当該チケットについていったん情報の磁気書込みが完了して、その直後の読取りが続くと、ベルトは切断部ＣＯＵの前面のガイドチャネルＣＧ１に従って方向Ｆ１に駆動される。
【００３８】
当該チケットについて切断が完了するとすぐに、こうして切断されたチケットをサーマル印刷ステーションＴＴに運ぶために、制御手段ＵＣは、方向Ｆ１と反対の方向Ｆ２にモータＭ１を駆動することができる。
【００３９】
実際には、切換え手段２０が計画されており、この切換え手段は、こうして磁気読取／書込みされ切断されたチケットを、取り入れチャネルＣＡ１、ＣＡ２、ＣＡ３とは別個になっているガイドチャネルＣＧ２の中を、方向Ｆ２に従ってサーマル印刷ステーションＴＴへ向けることができる。
【００４０】
ガイドチャネルＣＧ２はチケットをサーマル印刷ステーションＴＴの中に運び、このサーマル印刷ステーションＴＴは、ローラ２６と摩擦によって協働するヘッド２４により延びて、前記印刷ヘッド２４のためにアンビルの役目を果す本体２２を含む。
【００４１】
サーマルステーションＴＴは例えば、本出願と同じ日に「Ｄｅｖｉｃｅ  ｆｏｒ  ｐｒｏｃｅｓｓｉｎｇ  ｔｉｃｋｅｔｓ，  ｉｎ  ｐａｒｔｉｃｕｌａｒ  ｔｒａｎｓｐｏｒｔ  ｏｎｅｓ，  ｏｆ  ｄｉｆｆｅｒｅｎｔ  ｆｏｒｍａｔｓ」と題して、本出願人の名で提出した国際特許出願に記述したものである。すべての有用な作用のために、この出願は本説明の不可欠な部分である。
【００４２】
ガイドチャネルＣＧ２は、サーマル印刷ステーションの後方に方向Ｆ２に従って延びており、チケット出口またはチケット送出ステーションＤＥＬを出て、出口容器中に入る。
【００４３】
切換え手段４０は、方向Ｆ２に従ってサーマル印刷ステーションＴＴからは下流側であり、送出ステーションＤＥＬからは上流側の所に配置されている。切換え手段４０は、制御手段ＵＣの命令によって、チケットを方向Ｆ２に従って、送出ステーションＤＥＬへも、または磁気読取／書込みステーションへも向けることができる。
【００４４】
本発明によれば、すでに切断されたチケットのための、すなわち破れ易い線に従ってチケット通過ベルトに取り付けられていない補足チケット挿入ステーションＩＮＴＳを、閉回路の中に配置することを計画することが好ましい。
【００４５】
実際には、この挿入ステーションＩＮＴＳは、閉回路にすでに切断されたチケットを供給するための、取入れチャネルＣＡＳを画定する取入れスロット６０を含む。
【００４６】
方向Ｆ１に従って閉回路にチケットを完全に搬入し、それから挿入完了後にこれを方向Ｆ２に読取／書込みステーションＰＩＬへ送るために、補足挿入ステーションＩＮＴＳのための双方向供給手段が計画されている。
【００４７】
実際には、処理ユニットＵＣは、方向Ｆ１に従ったチケットのエントリーを制御し、Ｆ１に従った閉回路へのチケットの完全挿入の検出に応答して、制御ユニットは、方向Ｆ２に従って、前記チケットを磁気読取／書込みステーションに供給するために、双方向処理手段を制御することができる。
【００４８】
本発明によれば、チケット処理装置ＤＩＳのマン／マシン対話、プログラミング、および／または調節を自動化し改善することを目的とする、マン／マシンインターフェース方法が計画される。
【００４９】
まず、本発明による方法は、
ａ）設定チケットの磁気ストライプの上に、設定しようとする処理装置の少なくともいくつかの動作パラメータを書込み、前記設定チケットの上に前記設定パラメータを印刷して、前記設定パラメータの磁気記載に対応させる段階と、
ｂ）例えば補足挿入ステーションＩＮＴＳにおいて、設定しようとする処理装置の中に設定チケットを挿入する段階と、
ｃ）設定チケット上の磁気ストライプの内容を読み取る段階と、
ｄ）こうして読み取られた設定パラメータを記憶する段階と
を含む。
【００５０】
本発明による方法のため、制御手段ＵＣは、こうして記憶された前記設定パラメータを用いて、チケット処理装置ＤＩＳの動作を設定することができる。さらにまた、設置者は、対応する前記設定パラメータが上に印刷される設定チケットＴＩＴＣを得る。
【００５１】
こうして、動作条件に従った処理装置の動作パラメータのプログラミングから成る動作は自動的になり、設置者への書き込まれたトレースを残す。
【００５２】
実際には、段階ａ）は、少なくとも１つの磁気読取／書込みステーションと、１つのサーマル印刷ステーションと、制御手段とを含む、選択されたプログラミング機械を用いて設定チケットをプログラミングすることからなる。
【００５３】
設定チケットＴＩＴＣが、所与の必要性のために正しくプログラミングされ、設定しようとする装置と同じグループのどの機械によっても作ることができるのは、最も有利である。プログラミングしようとする機械にプログラミングした後に、設定チケットを対応する印刷ステーションによって編集する。
【００５４】
設定チケットが、チケットの正面に印刷されたパーソナル化パラメータを明らかに含むが、この情報を反映するものが、前記設定チケットの磁気ストライプ上に磁気的に書かれることは好ましい。
【００５５】
図２を見ると、設定チケットＴＩＴＣがＦＡ１側で示されており、このＦＡ１側に設定パラメータに関する情報が印刷されている。ＦＡ１側と反対の他の側には、設定チケット上の磁気ストライプが、印刷された情報に対応する磁気記載を含む。
【００５６】
例えば、チケットＴＩＴＣの上に印刷された情報は、機器（３バンド取り入れチャネル、直接サーマル印刷、リジェクトステーション）、通信プロトコル（９６００ボー、偶数パリティ、８ビット、１ストップ）、磁気読取／書込み、およびさまざまな他のパラメータに関係する。
【００５７】
第２に、マン／マシンインターフェース方法は、
１）チケット処理装置のアクティビティに関する情報を取り込む段階と、
２）取り込んだ前記情報を記憶する段階と、
３）記憶した前記情報をステートメントチケットの上に印刷する段階と
を含むオプションモードを含むことができる。
【００５８】
例えば情報は、イベントの説明およびこのイベントに関連するカウンタの値を含む。
【００５９】
したがって動作機能中に、チケット処理装置は固定記憶装置（図示せず）に、そのアクティビティおよび／または検出されたあらゆる発生事象に関する情報を記録することができる。
【００６０】
ステートメントチケットのために、チケット処理装置は、この情報を適切なステートメント形式に編集することができる。
【００６１】
図３、４を見ると、ステートメントチケットＴＩＲ１またはＴＩＲ２は、装置の機構部を表わすステートメントチケット上に重ねられたサイクルおよび発生事象カウンタと、動作機能に関係するさまざまな要素との編集を含む。
【００６２】
さらに前記ステートメントチケットＴＩＲ１またはＴＩＲ２の上に、サーマル印刷に対応して前記ステートメント情報を磁気的に書き込むことが計画されるのは最も有利である。こうしてこの構成は、技師による検査中の自動取り込み、および例えば修理工場に置かれているか、またはスキャナを備えたマイクロコンピュータによって形成され、適切なサーバに通信ネットワークを介して接続された収集部への情報の転送を可能にする。
【００６３】
図５を見ると、いくつかのフォントが基準チケットＴＲＥＦ１の上に印刷されて、前記フォントに従ってサーマル印刷の品質を検査する。
【００６４】
図６を見ると、それぞれ印刷ヘッドの加熱エレメントの作動を示す一連の基本セグメントＳＥＧが、基準チケットＴＲＥＦ２の上に印刷され、この印刷ヘッドは、本出願と同日に「Ｄｅｖｉｃｅ  ｆｏｒ  ｐｒｏｃｅｓｓｉｎｇ  ｔｉｃｋｅｔｓ，  ｉｎ  ｐａｒｔｉｃｕｌａｒ  ｔｒａｎｓｐｏｒｔ  ｏｎｅｓ，  ｏｆ  ｄｉｆｆｅｒｅｎｔ  ｆｏｒｍａｔｓ」と題して、本出願人の名で提出した国際特許出願に記述されている。
【００６５】
こうして、各加熱エレメントの作動が目視で直ちに検査される。基準チケットＴＲＥＦ２の右部分には、測定手段（図示せず）によって作動しないと宣告された加熱エレメントの配列番号が示されている。
【００６６】
第３に、さらにマン／マシンインターフェース方法は、磁気ストライプを有するチケットを処理する装置の基本的機能の動作機能を管理する、さまざまな機械的パラメータの自動調節を実施できるように計画されている。
【００６７】
実際には、図７を見るとサーマル印刷調節方法は、
ｉ）少なくとも１つの印刷基準マーク（ここでは、サーマル印刷の水平Ｈフレーミング、垂直Ｖフレーミング、およびサーマル印刷の密度Ｄにそれぞれ関係する３つの基準マーク（ＲＥＨ１、ＲＥＶ、ＲＥＨ２）を含む、サーマル印刷基準チケットＴＲＥＦ３を準備する段階と、
ｉｉ）調節しようとするチケット処理装置の中に、サーマル印刷基準チケットＴＲＥＦ３を挿入する段階と、
ｉｉｉ）サーマル印刷基準チケットＴＲＥＦ３の上に、基準マークＲＥＨ１、ＲＥＨ２、またはＲＥＶに関連して、少なくとも１つの基準スケールを印刷する段階と、
ｉｖ）基準スケールの要素Ｈ、Ｖ、またはＤと、基準マークＲＥＨ１、ＲＥＨ２、またはＲＥＶの間の一致値を示す段階と
を含む。
【００６８】
各機構部に特有なすべてのパラメータの取得または調節が、チケット処理装置の製造後、メンテナンス作業の後、または本発明によるチケット処理装置エレメントの１つのドリフトを認めた後に行われる、単一手順の中にまとめられることは最も有利である。
【００６９】
この単一手順中に、下記のエレメントを自動的に調節することができる。すなわち
磁気記載と磁気記載密度のフレーミング（図８、９）、
印刷の水平Ｈおよび垂直Ｖフレーミング（図７）、および
印刷密度Ｄの調節（歪像、図７）。
【００７０】
図７を見ると、水平フレーミングＨ、垂直フレーミング、および密度調節Ｄに関する基準スケールは、各々、２ずつ番号付けされた目盛を有する正の部分と、やはり２ずつで番号付けされた目盛を有する負の部分とを分離する、ゼロを有する目盛スケールを含む。
【００７１】
調節手順が、さらに切断位置中心合せ段階を含み、実際の切断位置を検査するように計画され、基準チケットが調節しようとするチケット処理装置の中に挿入され、操作者が目視で切断部を破れ易い線と比較することは最も有利である。
【００７２】
磁気記載のフレーミングもまた、本発明の方法によって調節されることは最も有利である（サーマル印刷手順と同じ手順中に行われることが最も有利である）。
【００７３】
実際には、磁気記載フレーミング調節方法は、
Ｉ）調節しようとするチケット処理装置の中に、チケットの一方の横縁部から他の横縁部まで前記チケットの縦方向側部の上に延びる磁気ストライプを含む基準チケットを挿入する段階と、
ＩＩ）基準チケットの少なくとも１つの横縁部を検出する段階と、
ＩＩＩ）基準チケットの磁気ストライプの上に、基準チケットが磁気読取／書込み部に到着する前に開始され、少なくとも１つの基準マークを含む一連の基本基準記載を、書き込む段階と、
ＩＶ）基準チケットの磁気ストライプの上にこうして書き込まれた基本基準記載の個数を、基準マークまでカウントし、このカウントから、チケットの横縁部の光学的検出部と磁気記載との間の距離を導き出す段階と
を含む。
【００７４】
チケット前縁部の光学的検出位置と磁気記載との間の距離は、装置ごとに変ることがあることを指摘しなければならない。こうして、本発明の方法によるこの距離の測定のため、位置決めによって、磁気読取／書込みの最適フレーミングを確実にすることができる。
【００７５】
さらにまた、基準チケットの他の横縁部について前述の方法を適用することによって、第１基準マークに続く一連の基本記載にあるもう１つの基準マークを用いて、磁気記載の密度を調節することができる。
【００７６】
図８、９を見ると、この方法の実施には、
チケットの一方の横縁部ＢＡＶＴから他方の横縁部ＢＡＲＴまで延びる磁気ストライプＰＭを含む紙ＰＡＰの上、および前記チケットの縦側部の上に、基準チケットＴＲＥＦ４を準備するために適当な手段と、
基準チケットＴＲＥＦ４の少なくとも１つの横縁部ＢＡＶＴを検出する手段ＤＯ１１と、
基準チケットＴＲＥＦ４の磁気ストライプＰＭの上に一連の基本基準記載ＳＩＥＲを書く手段ＴＭ１とを備え、基本基準記載は、基準チケットＴＲＥＦ４が書込み部ＴＭ１に到着する前に開始され、基本基準記載は少なくとも１つの基準マークＲＥ１を含み、
さらに、基準チケットＴＲＥＦ４の磁気ストライプＰＭの上にこうして書き込まれた基本基準記載ＳＩＥＲの個数を、基準マークＲＥ１までカウントし、これから、チケットの横縁部の光学的検出手段ＤＯ１１と磁気記載ＴＭ１との間の距離ＤＩＤＩを導き出す手段ＵＣを備える
装置を使用する。
【００７７】
基準チケットＢＡＲＴの他の横縁部については、第１基準マークＲＥ１に続く一連の基本記載ＳＩＥＲにあるさらにもう１つの基準マークＲＥ２を用いて、前述の方法を適用することが計画される。
【００７８】
チケットの２つの縁ＢＡＶＴ、ＢＡＲＴについて基本記載をカウントすることによって、磁気記載密度の調節が可能になる。
【００７９】
実際には、検出手段ＤＯ１１は、方向Ｆ１に従って磁気読取／書込みステーションから上流側に取り付けられた光学的検出器を含む。この光学的検出器は、磁気読取／書込みを開始するのに使用される。例えば、この光学的検出器は、本出願と同じ日に「Ｔｉｃｋｅｔ  ｐｒｏｃｅｓｓｉｎｇ  ｄｅｖｉｃｅ  ｗｉｔｈ  ｔｈｉｃｋｎｅｓｓ  ｄｅｔｅｃｔｏｒ」と題して、本出願人の名で提出した国際特許出願に記述されているように、厚さの検出に関与する検出器である。すべての有用な作用にために、この出願は本説明の不可欠な部分である。
【００８０】
チケット処理装置の動作と機能の監視に改変を加えることが最も有利である。
【００８１】
例えば、各チケット送りエレメントの動力が監視される。
【００８２】
メンテナンス検査の目的で、本発明によれば、磁気読取／書込み、切断動作、供給ストックへのベルトリターン、およびサーマル印刷の基本動作が、機能ずつ、および／またはコードラインずつ進行する検査段階を実施することができる。
【図面の簡単な説明】
【図１】  本発明による処理装置を示す側面図である。
【図２】  本発明による設定チケットを示す図である。
【図３】  本発明によるチケット処理装置のメンテナンスカウンタを示すステートメントチケットの図である。
【図４】  本発明によるメンテナンスカウンタに関するステートメントチケットの図である。
【図５】  本発明によるサーマル印刷に関する基準チケットを示す図である。
【図６】  本発明によるサーマル印刷に関するもう１つの基準チケットを示す図である。
【図７】  本発明による水平、垂直、および密度スケールにおけるサーマル印刷のフレーミングを示す調節チケットの図である。
【図８】  本発明による装置の光学検出器および磁気書込みヘッドを示す図である。
【図９】  図８の光学検出器と磁気書込みヘッドの間の距離を測定できるようにする基準チケットの図である。
【図１】
0004318881.tif 000002
【図２】
0004318881.tif 000003
【図３】
0004318881.tif 000004
【図４】
0004318881.tif 000005
【図５】
0004318881.tif 000006
【図６】
0004318881.tif 000007
【図７】
0004318881.tif 000008
【図８】
0004318881.tif 000009
【図９】
0004318881.tif 000010